(57)【要約】【課題】本発明は、所定の印刷媒体に色補正を行って多色印刷するための多色印刷方法、多色印刷用版ユニット、多色印刷システムに関し、カラーチャート部分の断裁分離を必要としないと共に、色補正後の印刷品質の低下を損なわずに最終印刷物としてカラーチャートの印刷を回避することを目的とする。【解決手段】版胴１２の内部に備えられた回動固定部である版送りローラ１５，１６に、カラーチャート部および印刷情報部が形成された可撓性の印刷用版２３の両端がそれぞれ固定され、当該印刷用版２３のカラーチャート部を上記版胴１２上で表出させた状態で印刷媒体に多色印刷させ、印刷媒体上に印刷されたカラーチャートに基づいて所定の色補正を行った後の本印刷時に、当該印刷用版２３をレバー２１，２２を回動させて版送りローラ１５，１６を回動させることでカラーチャート部を不表出とさせて印刷情報部のみを印刷させる構成とする。【選択図】  図１
2004174928.tif 000002
【特許請求の範囲】
【請求項１】
印刷用版にカラーチャート部および印刷情報部が形成され、所定の印刷媒体に当該カラーチャートを印刷して色補正を行った後に本印刷を行う多色印刷方法であって、
版胴の内部に備えられた版送り機構に、前記カラーチャート部および印刷情報部が形成された可撓性の印刷用版の両端が固定されるもので、当該印刷用版のカラーチャート部を上記版胴上で表出させた状態で前記印刷媒体に多色印刷させるステップと、
前記印刷媒体上に印刷されたカラーチャートに基づいて所定の色補正を行った後の本印刷時に、前記印刷用版を前記版送り機構により前記カラーチャート部を不表出とさせるステップと、
本印刷時に、前記印刷媒体に対して前記カラーチャート部が不表出状態の前記印刷用版で前記印刷情報部のみを印刷させるステップと、
を含むことを特徴とする多色印刷方法。
【請求項２】
請求項１記載の多色印刷方法に使用される多色印刷用版ユニットであって、
印刷情報部および色補正のためのカラーチャート部が形成され、所定の印刷媒体に少なくとも当該カラーチャート部によるカラーチャートを印刷して色補正を行った後に本印刷を行うための可撓性の印刷用版と、
前記印刷用版を巻き付けさせる回転自在の版胴と、
前記印刷用版の両端をそれぞれ固定する回動固定部が前記版胴の内部に備えられると共に、当該回動固定部を回動させる所定の回動伝達手段が備えられ、当該回動伝達手段により当該回動固定部を回動させることで当該印刷用版に形成された前記カラーチャート部を前記版胴上で表出または不表出とさせる版送り機構と、
を有することを特徴とする多色印刷用版ユニット。
【請求項３】
所定数の色インキ供給部を備え、色補正を行って所定の印刷媒体に多色印刷するための請求項２記載の多色印刷用版ユニットを所定数備えることを特徴とする多色印刷システム。
【請求項４】
請求項３記載の多色印刷システムであって、前記多色印刷用版ユニットにおける前記版送り機構の備える前記回動固定部を回動させる前記回動伝達手段に回動力を供給する回動駆動手段を有することを特徴とする多色印刷システム。
【発明の詳細な説明】
【０００１】
【発明の属する技術分野】
本発明は、所定の印刷媒体に色補正を行って多色印刷するための多色印刷方法、多色印刷用版ユニット、多色印刷システムに関する。
【０００２】
【従来の技術】
近年、印刷媒体に対する多色印刷における色再現技術の向上に伴い、多色による印刷の品質が向上してきている。多色印刷における色再現は、所定数の基準色で構成されるカラーチャートを印刷媒体に印刷し、その色濃度等を測定することで色補正して所望の色再現となるように各色の印刷インキを供給制御することが一般的となっている。このような多色印刷方式では、色補正を行うための上記カラーチャートを、本印刷時の印刷媒体に対して印刷されないことが望まれる。
【０００３】
そこで、図６に、従来の多色印刷の説明図を示す。図６（Ａ）はオフセット印刷方式の代表的な枚葉の多色印刷システム１０１の概略図を示したもので、用紙供給手段１０２より供給される印刷媒体としての用紙１０２Ａに対して、４色（シアン、マゼンタ、イエロー、ブラック）に対応する各印刷部１０３〜１０６が順次配置され、印刷後の用紙をスタックするスタッカ１０７が配置される。各印刷部１０３〜１０６は、それぞれ印刷用版ユニットＰ、ブランケット胴ユニットＢおよび圧胴ユニットＴで構成され、ブランケットユニットＢと圧胴ユニットＴとに用紙１０２Ａが挾持される状態で印刷が行われる。
【０００４】
上記印刷用版ユニットＰは、図６（Ｂ）に示すように、版胴１１１には、版取付溝１１１Ａが形成され、一方で印刷用版１１２には版のくわえ代１１２Ａ，１１２Ｂが形成されており、当該版胴１１１の版取付溝１１１Ａに版のくわえ代１１２Ａ，１１２Ｂを嵌合して固定することにより当該印刷用版１１２が取り付けられるものである。そして、印刷用版１１２は、色補正のためのカラーチャート部１２１と、印刷情報部１２２が従前の製版技術により形成されたものである。このようなカラーチャートを用いて色調管理する技術が以下の特許文献等により知られている。
【０００５】
【特許文献１】
特開平１１−２４０１３７号公報
【０００６】
上記のような多色印刷システム１０１は、最初の用紙１０２Ａに印刷されたカラーチャート部分の各パッチの色濃度等を測定し、当該濃度に応じた印刷インキの供給量を調整した後、本印刷として各用紙１０２Ａに順次多色印刷を行うものである。その際、最終的な印刷物としては不要であるカラーチャート部１２１も各用紙１０２Ａに印刷されることから、印刷後にカラーチャート部分を断裁して、最終的に印刷情報部１２２のみの印刷内容とするものである。
【０００７】
【発明が解決しようとする課題】
しかしながら、用紙１０２Ａに印刷されたカラーチャート部分を後に断裁分離することはその分の加工を必要とすると共に、当該カラーチャートの部分だけ大きな用紙を用いなければならず、また断裁分離した用紙部分が無駄であるという問題がある。また、カラーチャート部１２１が形成された印刷用版１１２で印刷して色調整した後、当該カラーチャート部１２１が形成されていない印刷用版に取り替えて本印刷した場合には当該色調整が完全に反映されない場合が多く、印刷品質の低下を招くという問題がある。これらのことは、印刷媒体が枚葉の場合に限らずに連続の場合であっても生じる問題である。
【０００８】
そこで、本発明は上記課題に鑑みなされたもので、カラーチャート部分の断裁分離を必要としないと共に、色補正後の印刷品質を損なわずに最終印刷物としてカラーチャートの印刷を回避する多色印刷方法、多色印刷用版ユニット、多色印刷システムを提供することを目的とする。
【０００９】
【課題を解決するための手段】
上記課題を解決するために、請求項１の発明では、印刷用版にカラーチャート部および印刷情報部が形成され、所定の印刷媒体に当該カラーチャートを印刷して色補正を行った後に本印刷を行う多色印刷方法であって、版胴の内部に備えられた版送り機構に、前記カラーチャート部および印刷情報部が形成された可撓性の印刷用版の両端が固定されるもので、当該印刷用版のカラーチャート部を上記版胴上で表出させた状態で前記印刷媒体に多色印刷させるステップと、前記印刷媒体上に印刷されたカラーチャートに基づいて所定の色補正を行った後の本印刷時に、前記印刷用版を前記版送り機構により前記カラーチャート部を不表出とさせるステップと、本印刷時に、前記印刷媒体に対して前記カラーチャート部が不表出状態の前記印刷用版で前記印刷情報部のみを印刷させるステップと、を含む構成とする。
【００１０】
請求項２の発明では、請求項１記載の多色印刷方法に使用される多色印刷用版ユニットであって、印刷情報部および色補正のためのカラーチャート部が形成され、所定の印刷媒体に少なくとも当該カラーチャート部によるカラーチャートを印刷して色補正を行った後に本印刷を行うための可撓性の印刷用版と、前記印刷用版を巻き付けさせる回転自在の版胴と、前記印刷用版の両端をそれぞれ固定する回動固定部が前記版胴の内部に備えらると共に、当該回動固定部を回動させる所定の回動伝達手段が備えられ、当該回動伝達手段により当該回動固定部を回動させることで当該印刷用版に形成された前記カラーチャート部を前記版胴上で表出または不表出とさせる版送り機構と、を有する構成とする。
【００１１】
請求項３の発明では、所定数の色インキ供給部を備え、色補正を行って所定の印刷媒体に多色印刷するための請求項２記載の多色印刷用版ユニットを所定数備える構成とする。
【００１２】
請求項４の発明では、請求項３記載の多色印刷システムであって、前記多色印刷用版ユニットにおける前記版送り機構の備える前記回動固定部を回動させる前記回動伝達手段に回動力を供給する回動駆動手段を有する構成である。
【００１３】
このように、版胴の内部に備えられた版送り機構の回動固定部に、カラーチャート部および印刷情報部が形成された可撓性の印刷用版の両端がそれぞれ固定され、当該印刷用版のカラーチャート部を上記版胴上で表出させた状態で前記印刷媒体に多色印刷させ、印刷媒体上に印刷されたカラーチャートに基づいて所定の色補正を行った後の本印刷時に、当該印刷用版を前記版送り機構によりカラーチャート部を不表出とさせて印刷情報部のみを印刷させる。すなわち、本印刷時には印刷用版に形成されたカラーチャート部が版胴上で不表出であることから当該カラーチャートが印刷媒体に印刷されるのを回避させることが可能となると共に、当該カラーチャートを印刷させないための版交換を不要とすることから色補正後の印刷品質の低下を防止することが可能となり、またカラーチャートを表示させないための断裁を行わないことから印刷媒体の無駄発生を回避させることが可能となるものである。
【００１４】
【発明の実施の形態】
以下、本発明の好ましい実施形態を図により説明する。本実施形態では、多色印刷用版ユニットおよび回動駆動手段のみを示すが、多色印刷システムとして前述の図６（Ａ）に示すオフセット印刷方式で適用できるもので、特にシステムとしては図示はしない。また、図６（Ａ）に示す各色毎に本発明に係る多色印刷用版ユニットを配置する場合に限らず、それぞれ単一の多色印刷用版ユニット、ブランケット胴ユニットおよび圧胴ユニットの構成で、当該多色印刷用版ユニットに各色インキを供給する手段を配置して印刷媒体を所定回数通過させる方式のものにも適用することができるものである。さらに、オフセット印刷方式に限らず、版に形成されたカラーチャート部を用いて色補正を行う総ての印刷方式における多色印刷システムにおいても適用することができるものである。さらにまた、本実施形態では、印刷媒体として枚葉の場合を示すが、連続のものであっても適用することができるものである。
【００１５】
図１に、本発明に係る多色印刷用版ユニットの構成図を示す。図１（Ａ）、（Ｂ）に示す多色印刷用版ユニット１１は、印刷用版にカラーチャート部および印刷情報部が形成され、所定の印刷媒体に当該カラーチャートを印刷して色補正を行った後に本印刷を行うためのもので、版胴１２の所定位置にロール配置溝１３，１４が形成され、当該ロール配置溝１３，１４内にそれぞれ回動固定部である版送りローラ１５，１６が設けられる。
【００１６】
上記版送りローラ１５，１６は、それぞれ回動軸１７，１８で版胴１２側に回動自在に取り付けられる。また、当該版送りローラ１５，１６のそれぞれには後述の印刷用版の両端を固定するクランプ溝１９，２０が形成される。さらに、上記版送りローラ１５，１６は回動軸１７，１８が版胴１２の外部に延出して回動伝達手段である回動レバー２１，２２が設けられる。なお、図示しないが、それぞれの版送りローラ１５，１６は回動するに際して、回動位置では容易に回転しない規制機構が設けられるものである。これら版送りローラ１５，１６、回動レバー２１，２２により版送り機構が構成される。
【００１７】
そして、印刷用版２３（図２（Ａ）で説明する）が上記版胴１２に巻き付けられるに際し、一端が版送りローラ１５のクランプ溝１９に固定され、他端が版送りローラ１６のクランプ溝２０に固定されるものである。すなわち、回動レバー２１，２２を同方向（例えば反時計方向）に所定量回動させると版送りローラ１５側の印刷用版２３が所定量（後述のカラーチャート部の形成分）巻き取られ、反送りローラ１６側の印刷用版２３が同量送り出されるものである。
【００１８】
そこで、図２および図３に、図１に多色印刷用版ユニットによる色補正を伴う多色印刷の説明図を示す。まず、図２（Ａ）において、多色印刷用版ユニット１１における印刷用版２３は、可撓性部材で形成されるもので、形成部材の一例としては感光性樹脂があり、当該感光性樹脂としては例えば感光性高分子の他、反応性ポリマ、光重合開始剤などを含む複合材料で、光によって光重合を起こし、高分子量のプラスチック状の樹脂となって硬化するものなどがある。印刷用の版は、元々印刷情報が画線部と非画線部とにより形成されるもので、これら印刷情報の焼き付け等による形成は従前の方法で行うことができる。
【００１９】
上記のような印刷用版２３には、所定の印刷媒体に対して例えば先頭部分となる位置に印刷カラーチャートを印刷させる位置にカラーチャート部３１が形成され、この領域に続いて本印刷時の印刷情報を印刷する印刷情報部３２が形成される。そして、当該印刷用版２３は、その一端としてのカラーチャート部３１の形成側が、図１に示す版送りローラ１５のクランプ溝１９に固定され、版胴１２の円柱側部に巻き付けさせた状態で他端が版送りローラ１６のクランプ溝２０に固定される。
【００２０】
このような多色印刷用版ユニット１１により、図２（Ａ）に示すように多色印刷用版２３のカラーチャート部３１を版胴１２上で表出させて印刷媒体（例えば上質紙）４１に多色印刷を行った場合、図２（Ｂ）に示すように、当該印刷媒体４１には、多色でカラーチャート部３１に対応する印刷カラーチャート４２と、印刷情報部３２に対応する印刷内容部４３が印刷される。当該印刷媒体４１に印刷カラーチャート４２を含めて印刷させるのは、当該印刷カラーチャート４２による色補正を行うためのものであり、本印刷前の印刷である。したがって、色補正を行うに当たり、例えば印刷カラーチャート４２の各カラーパッチ部分の濃度を測定し、当該測定濃度に基づき、適宜印刷内容部４３の印刷色部分と比較し、各色の印刷インキの供給量を調節することで当該色補正が行われるものである。
【００２１】
図２（Ｂ）に示すような印刷により色補正を行った後、図３（Ａ）、（Ｂ）に示すように、回動レバー２１，２２の両方を主に手動により反時計方向に回動させることで、図２（Ａ）に示すカラーチャート部３１を版送りローラ１５に巻き付けさせると共に、版送りローラ１６に巻き付けてあった部分（例えば、印刷媒体４１の余白部分となる）を版胴１２上に表出させる。すなわち、カラーチャート部３１は、版胴１２上では不表出となる。
【００２２】
上記図３（Ａ）、（Ｂ）に示す状態の多色印刷用版ユニット１１により本印刷が行われるもので、所定数の印刷媒体４１に対して図３（Ｃ）に示すように印刷情報部３２に対応する印刷内容部４３のみが印刷されるものである。また、所定数の印刷媒体４１に印刷を行った後、再度色補正を行う場合には、図３（Ａ）に示す可動レバー２１，２２を時計方向に回動させることで図２（Ａ）に示されるように印刷用版２３のカラーチャート部３１を版胴１２上に表出させ、印刷用紙４１に印刷カラーチャート４２を印刷させるものである（図２（Ｂ））。
【００２３】
このように、色補正時には印刷用版２３のカラーチャート部３１を版胴１２上で表出させて印刷し、本印刷時には当該カラーチャート部３１を版胴上で不表出とさせることから、本印刷時に印刷カラーチャート４２が印刷媒体４１に印刷されるのを回避させることができると共に、当該印刷カラーチャート４２を印刷させないための版交換を不要とすることから色補正後の印刷品質の低下を防止することができ、また印刷カラーチャート４２を表示させないための断裁分離を行わないことから印刷媒体の無駄発生を回避させることができるものである。
【００２４】
次に、図４に本発明に係る他の構成の多色印刷用版ユニットを備える多色印刷システムの要部説明図を示すと共に、図５に図４に示す多色印刷用版ユニットによる色補正を伴う多色印刷の説明図を示す。図４（Ａ）において、まず、多色印刷用版ユニット１１における版送りローラ１５，１６の各ロール軸１７，１８の版胴外部の延出部分には、上記回動レバー２１，２２に代えて回動伝達手段としての回動ギア５１，５２が設けられる。
【００２５】
一方、上下動自在なモータ５３が配置され、当該モータ５３の回動軸に例えばネジ切りが施された回動伝達軸５４が設けられる。この回動伝達軸５４は、当該モータ５３の上下動によって、上記回動ギア５１，５２に対して噛合状態、または非噛合状態とされる。また、上記モータ５３には移動ギア５５が設けられる。すなわち、上記モータ５３（回動伝達軸５４、移動ギア５５）は、上下動はするが、当該モータ５３自体は回動（回転）しないように配設されるものである。
【００２６】
そして、モータ５６が固定配置され、当該モータ５６は回動軸に例えばネジ切りが施された送り伝達軸５７が設けられる。この送り伝達軸５７は、上記モータ５３の移動ギア５５に対して噛合状態とされる。これらモータ５３，５６、回動伝達軸５４、移動ギア５５および送り伝達軸５７を含んで回動駆動手段が構成される。
【００２７】
すなわち、モータ５６が回転することで送り伝達軸５７が回転されることによって噛合状態の移動ギア５５を介してモータ５３（回動伝達軸５４）が上下動されるもので、当該回動伝達軸５４と上記多色印刷用版ユニット１１の回動ギア５１，５２とを噛合状態とさせたり、非噛合状態とさせる。また、上記回動伝達軸５４と回動ギア５１，５２が噛合状態において、モータ５３を回動させることにより回動伝達軸５４を介して回動ギア５１，５２を反時計方向、または時計方向に回動させるものである。
【００２８】
そこで、多色印刷用版ユニット１１が図４（Ａ）に示す状態（印刷用版２３のカラーチャート部３１の表出状態）において、印刷媒体４１に多色印刷を行うことにより、多色でカラーチャート部３１に対応する印刷カラーチャート４２と、印刷情報部３２に対応する印刷内容部４３が印刷される（図２（Ｂ））。そして、上述のように所定の色補正が行われる。
【００２９】
上記色補正の後に本印刷時には、図４（Ｂ）に示すようにモータ５６を回動させることで回動伝達軸５４（モータ５３）を下降させ、当該回動伝達軸５４と多色印刷用版ユニット１１の回動ギア５１，５２とを噛合させる。そして、図５（Ａ）に示すように、モータ５３（回動伝達軸５４）を回動させることで回動ギア５１，５２を反時計方向に回動させることにより、カラーチャート部３１を版送りローラ１５に巻き付けさせて不表出とさせると共に、版送りローラ１６に巻き付けたあった部分を版胴１２上に表出させる。
【００３０】
そこで、図５（Ｂ）に示すように、再びモータ５６を回動させることで回動伝達軸５４（モータ５３）を上昇させ、当該回動伝達軸５４と多色印刷用版ユニット１１の回動ギア５１，５２とを非噛合状態とさせることにより、所定数の印刷媒体に対して本印刷を行わせるものである。また、所定数の印刷媒体４１に印刷を行った後、再度色補正を行う場合には、図５（Ａ）に示すように当該回動伝達軸５４と多色印刷用版ユニット１１の回動ギア５１，５２とを噛合させ、モータ５３（回動伝達軸５４）を回動させることで回動ギア５１，５２を時計方向に回動させることにより、カラーチャート部３１を版送りローラ１５より引き出して表出させるものである。
【００３１】
このように、印刷用版２３においてカラーチャート部３１を表出状態または不表出状態とさせることによって、上記同様に、本印刷時に色補正後の印刷品質を損なわずに印刷カラーチャート４２が印刷媒体４１に印刷されるのを回避させることができると共に、印刷媒体の無駄発生を回避させることができるものであり、当該カラーチャート部３１の表出、不表出を機械的に行うことで作業者の煩雑性を軽減することができるものである。
【００３２】
【発明の効果】
以上のように、版胴の内部に備えられた版送り機構の回動固定部に、カラーチャート部および印刷情報部が形成された可撓性の印刷用版の両端がそれぞれ固定され、当該印刷用版のカラーチャート部を上記版胴上で表出させた状態で前記印刷媒体に多色印刷させ、印刷媒体上に印刷されたカラーチャートに基づいて所定の色補正を行った後の本印刷時に、当該印刷用版を前記版送り機構によりカラーチャート部を不表出とさせて印刷情報部のみを印刷させることにより、本印刷時に色補正後の印刷品質を損なわずにカラーチャートが印刷媒体に印刷されるのを回避させることができると共に、印刷媒体の無駄発生を回避させることができるものである。
【図面の簡単な説明】
【図１】本発明に係る多色印刷用版ユニットの構成図である。
【図２】図１に多色印刷用版ユニットによる色補正を伴う多色印刷の説明図（１）である。
【図３】図１に多色印刷用版ユニットによる色補正を伴う多色印刷の説明図（２）である。
【図４】本発明に係る他の構成の多色印刷用版ユニットを備える多色印刷システムの要部説明図である。
【図５】図４に示す多色印刷用版ユニットによる色補正を伴う多色印刷の説明図である。
【図６】従来の多色印刷の説明図である。
【符号の説明】
１１          多色印刷用版ユニット
１２          版胴
１３，１４    ロール配置溝
１５，１６    版送りロール
１７，１８    ロール軸
１９，２０    クランプ溝
２１，２２    回動レバー
２３          印刷用版
３１          カラーチャート部
３２          印刷情報部
４１          印刷媒体
４２          印刷カラーチャート
４３          印刷内容部
５１，５２    回動ギア
５３，５６    モータ
【図１】
2004174928.tif 000003
【図２】
2004174928.tif 000004
【図３】
2004174928.tif 000005
【図４】
2004174928.tif 000006
【図５】
2004174928.tif 000007
【図６】
2004174928.tif 000008